(57)【要約】【課題】より良好にピックアップの清掃を行うことができるディスク装置を提供する。【解決手段】ディスク装置１は、光ディスクＤの記録面に対して光を照射してその反射光を取得するピックアップ１０と、光ディスクＤの記録面に沿ってピックアップ１０を移動させる駆動装置と、ピックアップ１０の移動経路をガイドする主軸２１及び副軸２２と、を有し、副軸２２は、ピックアップ１０が光ディスクＤの記録面領域外を移動する際にピックアップ１０を振動させる凹凸部２３を有する。【選択図】図１
2010140516.tif 000002
【特許請求の範囲】
【請求項１】
光ディスクの記録面に対して光を照射してその反射光を取得するピックアップと、
前記ピックアップを前記光ディスクの記録面に沿って移動させる駆動部と、
前記駆動部によって前記ピックアップが移動する移動経路をガイドするガイド部と、
前記ピックアップの対物レンズが前記記録面に対向しない位置を移動する際に前記ピックアップを振動させる振動誘発手段を前記ガイド部に有することを特徴とするディスク装置。
【請求項２】
前記振動誘発手段は、前記ガイド部に設けられた凹凸部であり、
前記ピックアップは当該凹凸部と摺接する凸部を有し、
前記凸部は、少なくともその先端の一部分が前記凹凸部に沿って振動し、かつ、前記ピックアップの移動に伴う前記凹凸部と前記凸部との摺接がピックアップの移動を妨げないことを特徴とする請求項１に記載のディスク装置。
【請求項３】
前記凸部は前記ガイド部の延設方向と直交する方向に突出するよう設けられ、当該凸部と対向する位置に設けられた前記凹凸部と摺接することを特徴とする請求項２に記載のディスク装置。
【請求項４】
前記振動誘発手段は、前記光ディスクの径に対して光ディスクの記録面最外周の外側に前記ピックアップの対物レンズが位置した際に当該ピックアップを振動させることを特徴とする請求項１から３のいずれか一項に記載のディスク装置。
【請求項５】
前記振動誘発手段は、前記光ディスクの径に対して光ディスクの記録面最内周の内側に前記ピックアップの対物レンズが位置した際に当該ピックアップを振動させることを特徴とする請求項１から３のいずれか一項に記載のディスク装置。
【発明の詳細な説明】
【技術分野】
【０００１】
本発明は、ディスク装置に関する。
【背景技術】
【０００２】
ＣＤやＤＶＤ、Ｂｌｕ−ｒａｙ等の光ディスクを読み取るディスク装置は、光ディスクにレーザーを照射してその反射光を受光する光ピックアップ（以下、単に「ピックアップ」と称する）を備える。ピックアップは光の照射と受光とを行う構成であるため、光の射線上に埃等の障害物が存在すると読取エラーを生じることがある。ディスク装置は一般的にその外部を筐体等のカバーで覆うことで埃等の塵状物質がピックアップ等の内部構成に侵入、堆積することを防止しているが、ディスクの挿入排出口やディスクトレイ等からの異物混入は完全に防止することができないため、ピックアップに塵状物質が付着、堆積することがある。
【０００３】
ピックアップの清掃即ちピックアップに付着、堆積した塵状物質の除去を行う方法として、ピックアップの対物レンズを清掃するためのレンズクリーナが市販されているが、ディスク装置の構造によってはレンズクリーナとピックアップの対物レンズとが良好に接触する位置関係とならず、十分に清掃を行えない場合がある。綿棒等を用いてユーザが手動でピックアップを清掃する方法もあるが、対物レンズを傷つける等、ピックアップを故障させる原因となることがある。
そこで、ピックアップの対物レンズを振動させて対物レンズに付着、堆積した塵状物質を振い落すための駆動装置を設けたディスク装置が知られている（例えば特許文献１）。
【特許文献１】特開２００２−１５４４７号公報
【発明の開示】
【発明が解決しようとする課題】
【０００４】
しかしながら、特許文献１に記載のディスク装置では、ピックアップに堆積した塵状物質の除去を十分に行えない場合があった。なぜならば、駆動装置によって振動するのは対物レンズのみであるので、塵状物質を除去できるのは対物レンズとその付近のみであり、ピックアップの他の部分（例えばコリメータレンズ等の他のレンズやレンズ間の隙間等）に付着、堆積した塵状物質を除去できないためである。
加えて、特許文献１に記載のディスク装置は、対物レンズを振動させる構成のためにピックアップの部品点数が増加しピックアップの仕組みが複雑となるのでピックアップ製造のコストが高くなるという問題点もある。
【０００５】
本発明は、より良好にピックアップの清掃を行うことができるディスク装置を提供することを目的とする。
【課題を解決するための手段】
【０００６】
請求項１記載の発明によるディスク装置は、光ディスクの記録面に対して光を照射してその反射光を取得するピックアップと、前記ピックアップを前記光ディスクの記録面に沿って移動させる駆動部と、前記駆動部によって前記ピックアップが移動する移動経路をガイドするガイド部と、前記ピックアップの対物レンズが前記記録面に対向しない位置を移動する際に前記ピックアップを振動させる振動誘発手段を前記ガイド部に有することを特徴とする。
【０００７】
請求項２記載の発明は、請求項１に記載のディスク装置において、前記振動誘発手段は、前記ガイド部に設けられた凹凸部であり、前記ピックアップは当該凹凸部と摺接する凸部を有し、前記凸部は、少なくともその先端の一部分が前記凹凸部に沿って振動し、かつ、前記ピックアップの移動に伴う前記凹凸部と前記凸部との摺接がピックアップの移動を妨げないことを特徴とする。
【０００８】
請求項３記載の発明は、請求項１又は２に記載のディスク装置において、前記凸部の先端は前記ガイド部の延設方向と直交する方向に突出するよう設けられ、当該凸部と対向する位置に設けられた前記凹凸部と摺接することを特徴とする。
【０００９】
請求項４記載の発明は、前記振動誘発手段は、前記光ディスクの径に対して光ディスクの記録面最外周の外側に前記ピックアップの対物レンズが位置した際に当該ピックアップを振動させることを特徴とする。
【００１０】
請求項５記載の発明は、請求項１から３のいずれか一項に記載のディスク装置において、前記振動誘発手段は、前記光ディスクの径に対して光ディスクの記録面最内周の内側に前記ピックアップの対物レンズが位置した際に当該ピックアップを振動させることを特徴とする。
【発明の効果】
【００１１】
本発明によれば、より良好にピックアップの清掃を行うことができるディスク装置を提供することができる。
【発明を実施するための最良の形態】
【００１２】
（第１の実施形態）
以下、図を参照して本発明の実施の形態を詳細に説明する。
図１に本発明の第１の実施形態であるディスク装置１の全体構成の上面図を示す。
ディスク装置１は、ディスクモータ２、ピックアップ１０、主軸２１、副軸２２及びトラバースシャシ３を備える。
【００１３】
ディスクモータ２は電動機であり、光ディスクＤを支持して回転駆動する。ディスクモータ２は回転子の先端に光ディスクＤの中央に設けられた穴と嵌合するディスクホルダー４を有し、ディスクホルダー４に嵌合された光ディスクの支持、回転駆動を行う。
【００１４】
主軸２１及び副軸２２は、その軸方向即ち延設方向がディスクモータ２に支持された光ディスクＤの記録面に沿うよう設けられ、かつ、主軸２１の軸方向と副軸２２の軸方向が平行となるよう設けられる。本実施形態における主軸２１及び副軸２２は、円柱状の軸である。
副軸２２は凹凸部２３を有する。凹凸部２３は、副軸２２の軸方向に沿って連続した複数の凹凸が副軸２２の上面に設けられた部分である。
【００１５】
ピックアップ１０は、主軸２１と副軸２２との協働によって主軸２１及び副軸２２の軸方向に沿って移動可能に支持される。ピックアップ１０の主軸２１及び副軸２２の軸方向に沿った移動は、図示しない駆動装置により行われる。
【００１６】
ピックアップ１０は、光ディスクＤにレーザー等の光を照射すると共に、光ディスクＤの記録面によって反射された照射光を受光する。
ピックアップ１０は少なくとも、対物レンズ１１と、基部１２とを有する。
【００１７】
対物レンズ１１は、光ディスクＤの記録面と対向する位置に設けられ、照射光及び光ディスクＤの記録面によって反射された照射光は対物レンズ１１を通過して集光される。
本実施形態では、光ディスクＤの記録面は下向きであり、主軸２１、副軸２２及びピックアップ１０は光ディスクＤの下方に設けられる。そして、対物レンズ１１は上向きに設けられ、光ディスクの下方から照射光を照射して反射光の受光を行う。
【００１８】
基部１２は主軸２１及び副軸２２の間の位置に対物レンズ１１を支持すると共に、前述の図示しない駆動装置の駆動力を受けてピックアップ１０を移動させる。このとき、対物レンズ１１から照射される光が線Ｌ上を移動するよう設けられている。ディスクモータ２、主軸２１及び副軸２２の位置関係はトラバースシャシ３によって保持されている。トラバースシャシ３は、ディスクモータ２、主軸２１及び副軸２２が図１に示す位置関係となるようディスクモータ２、主軸２１及び副軸２２を支持する。
【００１９】
基部１２は、主軸２１側の側部に主軸２１が貫通可能な穴を有し、主軸２１が貫通している。基部１２は、副軸受け部１３を有し、副軸受け部１３が副軸２２に載置される。基部１２は主軸２１及び副軸２２の軸方向に沿ってその移動をガイドされる。つまり、基部１２、副軸受け部１３、主軸２１及び副軸２２が協働してピックアップ１０の移動経路をガイドするガイド部として機能する。
【００２０】
図２に光ディスクＤの中央側から見たピックアップ１０を示す。
副軸受け部１３は、基部１２から副軸２２側に延設された基部１２の一部分であり、図２に示すように副軸２２の上下面及び側面と摺接する横方向に開口したコの字形状をしている。副軸受け部１３はそのコの字形状の開いた部分が横向きとなる向きで副軸２２に載置され、ピックアップ１０の移動に伴い副軸受け部１３のコの字の内周が副軸２２と摺接する。主軸２１と基部１２との摺接部分や、後述する凹凸部２３を含む副軸２２と副軸受け部１３との摺接部分にはグリス等の潤滑剤が塗布、添加されている。
【００２１】
図２に示すように、副軸受け部１３は凸部１４を介して副軸２２の上面と接する。そして、図１に示すように、副軸２２はその上面に凹凸部２３を有する。ピックアップ１０が光ディスクＤの記録面の最外周Ｍ１の外側へ移動すると、凸部１４は凹凸部２３と摺接する。
【００２２】
図３は、凹凸部２３と凸部１４との摺接部分の構造を示す断面図である。図３（ａ）は凸部１４が凹凸部２３と摺接していない場合を示す図であり、図３（ｂ）は凸部１４が凹凸部２３と摺接している場合を示す図である。図３（ａ）、（ｂ）は図１及び図２に示すＮ−Ｎ断面図である。図３では副軸受け部１３及び凸部１４の上下動を明確に示すため、副軸受け部１３、凸部１４、副軸２２及び凹凸部２３以外の構成の図示を省略している。
【００２３】
図３（ａ）、（ｂ）に示すように、凸部１４は、Ｎ−Ｎ断面（副軸２２の軸方向に沿った方向の断面形状）が山形となった突出部であり、副軸受け部１３から下方即ち副軸２２の軸方向に直交する方向に突出するよう設けられる。ピックアップ１０が光ディスクＤの記録面の最外周Ｍ１の外側方向（図３（ａ），（ｂ）の右側）へ移動すると、図３（ｂ）に示すように、凸部１４は凸部１４と対向する位置にある凹凸部２３と摺接する。このとき、凸部１４の突端の一部が凹凸部２３の凹部分へ入り込み、副軸受け部１３及び凸部１４は下降する。その後、さらにピックアップ１０が光ディスクＤの記録面の最外周Ｍ１の外側方向へ移動すると、凸部１４は凹凸部２３の凸部分に乗り上げて上昇する。以後、ピックアップ１０の光ディスクＤの記録面の最外周Ｍ１の外側方向への移動に伴い、凸部１４は凹凸部２３の凹部分への入り込みによる下降動作と凸部分への乗り上げに伴う上昇動作とを繰り返して上下動する。つまり、凸部１４が凹凸部２３と摺接するとき、副軸受け部１３は上下動する。
【００２４】
図４に凹凸部２３上を移動中のピックアップ１０を示す。
ピックアップ１０が図４に示すように光ディスクＤの外側に移動すると、凸部１４が副軸２２の凹凸部２３と摺接することにより副軸受け部１３が上下動する。このとき、主軸２１を回動軸として基部１２の副軸受け部１３側が上下に回動することによって基部１２全体が上下に揺さぶられて振動する。つまり、副軸受け部１３が凹凸部２３と摺接して移動するとき、ピックアップ１０は振動する。
ピックアップ１０が振動すると、ピックアップ１０に付着、堆積していた埃等の塵状物質が振い落される。
【００２５】
凸部１４によるピックアップ１０の振動方向は、副軸２２の軸方向即ち延設方向に直交する方向である。本実施形態は、光ディスクＤが水平となるディスク装置１の場合を示しており、下方に突出した凸部１４と副軸２２の上面に設けられた凹凸部２３とによりピックアップ１０が上下に振動する。他の例として、例えば光ディスクＤの記録面が鉛直方向に沿うようなディスク装置の場合、ピックアップは水平方向に振動することとなる。
【００２６】
凹凸部２３は、光ディスクＤの径に対して光ディスクＤの記録面最外周Ｍ１の外側にピックアップ１０の対物レンズ１１が位置する際に副軸受け部１３と摺接する位置に設けられる。つまり、対物レンズ１１が光ディスクＤの記録面と対向する位置にある場合、凹凸部２３によるピックアップ１０の振動は生じない。
光ディスクＤの記録面に記録されたデータの読込を行う場合、ピックアップ１０は対物レンズ１１が光ディスクＤの記録面に対して光を照射、受光可能な位置（例えば図１に示す位置等）に移動する。ピックアップ１０の移動は、主軸２１及び副軸２２に沿って行われるが、このとき副軸受け部１３は凹凸部２３と摺接しないので、ピックアップ１０が振動することはない。
【００２７】
本実施形態は、凸部１４の突端に丸みを設け、凹凸部２３の凹部分に入り込んだ凸部１４がピックアップ１０の移動に伴って凹凸部２３の凸部分に乗り上げやすいよう設けている。さらに、凸部１４の根元から突端への傾斜を、凹凸部２３の凸部分から凹部分に向かう傾斜角より緩やかにすることにより、凸部１４の入り込みを浅くし、凸部分への乗り上げを一層容易にしている。これによって、ピックアップ１０の移動をスムーズに行いながら、ピックアップ１０を上下に振動させることができる。
【００２８】
本実施形態によれば、副軸受け部１３が凹凸部２３と摺接することによりピックアップ１０が振動するので、対物レンズ１１を含むピックアップ１０全体に付着、堆積した埃等の塵上物質を振い落すことができ、ピックアップ１０全体の清掃を行うことができる。
【００２９】
さらに、ピックアップ１０の移動をガイドする副軸２２の外周面に設けられた凹凸部２３と副軸受け部１３の下面に設けられた凸部１４との摺接による副軸受け部１３の上下動に伴いピックアップ１０が振動するので、追加部品等を設けることなくピックアップ１０の清掃を行うための構成を設けることができ、部品点数の削減及び機構の単純化によるコスト減を実現することができる。
【００３０】
さらに、凹凸部２３は光ディスクＤの径に対して光ディスクＤの外側に位置するので、凹凸部２３によってピックアップ１０が振動するときは、ピックアップ１０が光ディスクＤのデータ読込を行わないときである。つまり、ピックアップ１０が光ディスクＤのデータ読込を行う場合にはピックアップ１０が凹凸部２３によって振動することはないので、凹凸部２３はデータ読込に何ら影響を及ぼさず、ディスク装置のデータ読込性能を良好に維持しながらピックアップ１０の清掃を行うための構成を設けることができる。
加えて、ピックアップ１０が光ディスクのデータ読込を行わない際の所定条件下において、ピックアップ１０が凹凸部２３と摺接する経路上を移動するよう設けることで、その所定条件が満たされた際にピックアップ１０が清掃されるよう設けることができる。所定条件として、例えばディスク装置１の電源投入時や、光ディスクＤのデータ読込開始時又は終了時等が挙げられる。このような場合、光ディスクＤのデータ読込の事前にピックアップ１０の清掃が自動的に行われるので、埃等の塵状物質によるデータ読込不良を生じさせることがなくなり、常に良好なデータ読込を行うことができる。
【００３１】
（第２の実施形態）
次に、本発明の第１の実施形態とは異なる第２の実施形態について、図５を用いて説明する。第１の実施形態と同様の構成については同じ符号を付して説明を省略する。
図５に、本発明の第２の実施形態であるディスク装置３１の全体構成の上面図を示す。
ディスク装置３１は、ディスクモータ２、ピックアップ１０、主軸２１、副軸２５及びトラバースシャシ３を備える。副軸２５以外の構成は、第１の実施形態と同様である。
【００３２】
副軸２５は、凹凸部２６を有する。凹凸部２６は、光ディスクＤの径について光ディスクＤの記録面の最内周Ｍ２よりも対物レンズ１１が内側に位置する場合に副軸受け部１３と摺接する位置に設けられる。光ディスクＤのデータの読込を行わないとき、ピックアップ１０を移動させる図示しない駆動装置はピックアップ１０の対物レンズが光ディスクＤの径に対して光ディスクＤの記録面の最内周Ｍ２の内側となるよう移動させる。これによって副軸受け部１３と凹凸部２６とが摺接してピックアップ１０は振動し、ピックアップ１０に付着、堆積した埃等の塵状物質は振い落される。
【００３３】
第２の実施形態によれば、第１の実施形態と同様の効果を奏することに加え、凹凸部２６が光ディスクＤの径について光ディスクＤの記録面の最内周Ｍ２よりも対物レンズ１１が内側に位置する際にピックアップ１０を振動させるよう設けられるので、光ディスクＤの記録面最外周Ｍ１よりも外側の位置に凹凸部を設けるスペースを確保できない、あるいは確保することが難しいディスク装置であってもピックアップ１０を振動させるための構成を設けることができる。加えて、凹凸部が光ディスクＤの径に対して内周側に設けられることにより、ディスク装置をコンパクトにすることができる。
【００３４】
なお、本発明の実施形態は、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３５】
ピックアップを振動させる凹凸部はピックアップの移動に伴い摺接する箇所に設けられていればよい。例えば副軸でなく、主軸に設けるようにしてもよい。主軸、副軸の両方に設けてもよい。さらに、凹凸部は主軸又は副軸の一部分の上面に限らず、例えば副軸の一部分に設けられたネジ目のように副軸断面の外周全体に設けられるようにしてもよい。他に、主軸や副軸によるピックアップのガイドを行わない構成のディスク装置の場合であっても、ピックアップの移動に際してピックアップと摺接する箇所に凹凸部を設けることで同様の効果を得られる。例えば、シャシに設けられたレール状のガイドに沿ってピックアップが移動する構成の場合、ピックアップと摺接するガイドの一部分に凹凸部を設ける等が挙げられる。
【００３６】
凹凸部は均一、規則的な凹凸部でなくてもよい。例えば、凹凸部の凸部、凹部の高さを不均一としたり、凹凸の間隔を不均一としたりすることにより、ピックアップの振動に緩急を設けることができ、ピックアップから埃等の塵上物質を振い落す効果をより高めることができる。
【００３７】
凹凸部及び凹凸部に摺接する凸部の形状は前述の実施形態に限らない。例えば、凸部を錘状としてもよい。また、凹凸部はローレット加工によるもの等、凸部を上下動させる形状であればその形態を問わない。
【図面の簡単な説明】
【００３８】
【図１】本発明の第１の実施形態であるディスク装置の全体構成の上面図を示す。
【図２】光ディスクの中央側から見たピックアップを示す。
【図３】凹凸部２３と凸部１４との摺接部分の構造を示す断面図である。図３（ａ）は凸部１４が凹凸部２３と摺接していない場合を示す図であり、図３（ｂ）は凸部１４が凹凸部２３と摺接している場合を示す図である。
【図４】凹凸部上を移動中のピックアップを示す。
【図５】本発明の第２の実施形態であるディスク装置の全体構成の上面図を示す。
【符号の説明】
【００３９】
２  ディスクモータ
３  トラバースシャシ
４  ディスクホルダー
１０  ピックアップ
１１  対物レンズ
１２  基部
１３  副軸受け部
２１  主軸
２２  副軸
２３  凹凸部
Ｄ  光ディスク
【図１】
2010140516.tif 000003
【図２】
2010140516.tif 000004
【図３】
2010140516.tif 000005
【図４】
2010140516.tif 000006
【図５】
2010140516.tif 000007